(57)【要約】【課題】防蟻用の薬液を注入するための穿孔が土間に形成されながら、注入された薬液が土間コンクリート層に沿って水平方向に拡がることを可能にする基礎構造を提供すること。【解決手段】住宅の基礎構造１００は、住宅の基礎１０と、上記基礎１０に沿って設けられた地盤層１１と、上記地盤層１１に積層された高硬度層１２と、上記高硬度層１２に積層され、防蟻用の薬液を水平方向に流して拡散させる薬液拡散層１３と、上記薬液拡散層１３に積層された土間コンクリート層１４と、を具備する。上記高硬度層１２の材料は、上記薬液拡散層１３を構成する材料の硬度よりも高い硬度を有する材料である。【選択図】図１
2018084022.tif 000002
【特許請求の範囲】
【請求項１】
住宅の基礎と、
上記基礎に沿って設けられた地盤層と、
上記地盤層に積層された高硬度層と、
上記高硬度層に積層され、防蟻用の薬液を水平方向に流して拡散させる薬液拡散層と、
上記薬液拡散層に積層された土間コンクリート層と、を具備し、
上記高硬度層の材料は、上記薬液拡散層を構成する材料の硬度よりも高い硬度を有する材料である住宅の基礎構造。
【請求項２】
上記薬液拡散層は、不織布により構成されている請求項１に記載の住宅の基礎構造。
【請求項３】
上記薬液拡散層と上記土間コンクリート層との間に断熱材層を備えている請求項１又は２に記載の住宅の基礎構造。
【請求項４】
上記高硬度層は、上記薬液を鉛直方向に透過させるものである請求項１から３のいずれかに記載の住宅の基礎構造。
【請求項５】
上記高硬度層は、プラスチック、ゴム、又は鉄で構成された板材である請求項１から４のいずれかに記載の住宅の基礎構造。
【請求項６】
住宅の基礎と、
上記基礎に沿って設けられた地盤層と、
上記地盤層に積層され、防蟻用の薬液が下方に流れることを防ぐ板材と、
上記板材に積層され、防蟻用の薬液を水平方向に流して拡散させる土壌層と、
上記土壌層に積層された土間コンクリート層と、を具備し、
上記板材は、上記土壌層を構成する材料の硬度よりも高い硬度を有する住宅の基礎構造。
【発明の詳細な説明】
【技術分野】
【０００１】
本発明は、住宅の基礎構造に関する。
【背景技術】
【０００２】
図６には、住宅の玄関土間における基礎構造５００が示されている。玄関土間などの土間は、地面と同じ高さに位置するので、シロアリが進入しやすい。土間の外縁には、床の框１２０が配置されている。この框１２０は木材で構成されているため、シロアリの食害を受けやすい。そのため、住宅が新築されるときに、土間の土壌内に防蟻用の薬剤が散布され、その後に、土間の仕上げ部分が施工される。散布された薬剤の効果は、時間の経過を伴って失われる。そこで、新築から一定期間が経過した後に、土間の土壌に防蟻用の薬液を改めて散布する工事が実施される。
【０００３】
土間は、例えば、土間コンクリート層１１４、モルタル層１１５、及びタイル１１７が順に積層されて構成される。前述された工事では、ドリルが用いられて、タイル１１７の目地から土間コンクリート層１１４及びモルタル層１１５に鉛直方向に穿孔１２３が穿たれる。穿孔１２３は地盤層１１１に到達しており、穿孔１２３を通じて地盤層１１１に防蟻用の薬液が注入される。特許文献１には、このような工事に適した建築物の一例が開示されている。
【先行技術文献】
【特許文献】
【０００４】
【特許文献１】特開２０１６−９４７１３号公報
【発明の概要】
【発明が解決しようとする課題】
【０００５】
図６（ａ）に示されるように、注入された薬液は、地盤層１１１を浸透して水平方向及び鉛直方向に拡がる。図６（ａ）では、地盤層１１１の密度が略均一である。薬液は地盤層１１１を球状に拡がる。薬液が拡がる範囲５０１の水平方向の最大長さは、例えば４０ｃｍ程度である。図６（ｂ）では、地盤層１１１の密度に粗密が存在する。地盤層１１１の密度は、基礎１１０に近い部分では小さい。このような密度の粗密は、例えば、地盤層１１１に圧力を加える作業の偏りによって生じることがあり、基礎１１０付近では圧力が加わりにくいことによる。薬液は、地盤層１１１の密度の小さい箇所では拡がりやすい。したがって、薬液が拡がる範囲５０２は、穿孔１２３から基礎１１０に向けて斜めに形成される。
【０００６】
所定期間経過後の工事において防蟻を確実なものとするには、地盤層１１１において、特に水平方向の全域に薬液が拡散されることが望まれる。一箇所の穿孔１２３から注入された薬液が地盤層１１１を拡がる範囲には限界があるが、例えば３０センチメートルのピッチで複数の穿孔１２３を土間コンクリート層１１４及びモルタル層１１５に形成する必要がある。しかしながら、タイル１１７の目地に複数の穿孔１２３を形成することは、土間の外観が損なわれることから現実的ではない。したがって、土間の外観が損なわれることなく、且つ薬液が地盤層１１１に十分に拡散することが望まれている。
【０００７】
特許文献１に開示される建築物においては、土間の土壌内に、薬液を拡散させる透水性シートと撥水性シートとを配置している。土間の穿孔を介して注入された薬液は、透水性シートに浸透しつつ水平方向に拡がる。これにより、薬液を注入するための穿孔の数をできる限り少なくしつつ、広範囲に薬液が拡散され得る。
【０００８】
しかし、特許文献１に開示された技術においては、ドリルによって土間に穿孔が形成されるときに、透水性シート及び撥水性シートをドリルが貫通するおそれがある。そうすると、穿孔に注入された薬液は、透水性シート及び撥水性シートの下方に流れ、透水性シートに沿って水平方向へ十分に拡がることができないおそれがある。
【０００９】
本発明は、前述された事情に鑑みてなされたものであり、その目的は、防蟻用の薬液を注入するための穿孔ができる限り少なく、且つ穿孔に注入された薬液が土間コンクリート層の下方において水平方向に拡がることを可能にする基礎構造を提供することである。
【課題を解決するための手段】
【００１０】
(1)  本発明に係る住宅の基礎構造は、住宅の基礎と、上記基礎に沿って設けられた地盤層と、上記地盤層に積層された高硬度層と、上記高硬度層に積層され、防蟻用の薬液を水平方向に流して拡散させる薬液拡散層と、上記薬液拡散層に積層された土間コンクリート層と、を具備し、上記高硬度層の材料は、上記薬液拡散層を構成する材料の硬度よりも高い硬度を有する材料である。
【００１１】
上記構成によれば、薬液拡散層の下方に高硬度層が配置され、高硬度層の材料は、薬液拡散層を構成する材料の硬度よりも高い硬度を有する。そのため、作業者は、ドリルを用いて防蟻用の薬液を注入する穿孔を形成する際に、ドリルが高硬度層に到達したことを把握しやすい。これにより、穿孔が高硬度層を貫通することが抑制される。薬液拡散層よりも下方まで穿孔が形成される不具合が発生し難い。したがって、上記基礎構造においては、上記防蟻用の薬液を注入するための穿孔が土間に形成されつつ、注入された薬液が土間コンクリート層に沿って水平方向に拡がることが可能である。
【００１２】
(2)  好ましくは、上記薬液拡散層は、不織布により構成されている。
【００１３】
(3)  好ましくは、上記薬液拡散層と上記土間コンクリート層との間に断熱材層を備えている。
【００１４】
上記構成によれば、薬液拡散層の上に断熱材層が位置する。そのため、薬液拡散層内の薬液によって、シロアリ等の蟻による食害から断熱材層も保護される。
【００１５】
(4)  好ましくは、上記高硬度層は、上記薬液を鉛直方向に透過させるものである。
【００１６】
上記構成によれば、穿孔に注入されて薬液拡散層を水平方向に拡散した薬液を、高硬度層を透過させて地盤層に含浸させることができる。
【００１７】
(5)  好ましくは、上記高硬度層は、プラスチック、ゴム、又は鉄で構成された板材である。
【００１８】
(6)  好ましくは、住宅の基礎と、上記基礎に沿って設けられた地盤層と、上記地盤層に積層され、防蟻用の薬液が下方に流れることを防ぐ板材と、上記板材に積層され、防蟻用の薬液を水平方向に流して拡散させる土壌層と、上記土壌層に積層された土間コンクリート層と、を具備し、上記板材は、上記土壌層を構成する材料の硬度よりも高い硬度を有する。
【００１９】
上記構成によれば、土壌層の下方に板材が配置されているので、薬液が下方に流れることなく、土壌層内を水平方向に流れて拡散できる。また、板材の材料は、土壌層を構成する材料の硬度よりも高い硬度を有する。そのため、作業者は、ドリルを用いて防蟻用の薬液を注入する穿孔を形成する際に、ドリルが板材に到達したことを把握しやすく、高硬度層を穿孔が貫通するおそれが少ない。土壌層よりも下方まで穿孔が形成される不具合が発生し難い。したがって、上記基礎構造は、上記防蟻用の薬液を注入するための穿孔が土間に形成されつつ、注入された薬液が土間コンクリート層に沿って水平方向に拡がることが可能である。
【発明の効果】
【００２０】
本発明に係る住宅の基礎構造は、防蟻用の薬液を注入するための穿孔ができる限り少なく、且つ穿孔に注入された薬液が土間コンクリート層の下方において水平方向に拡がることが可能である。
【図面の簡単な説明】
【００２１】
【図１】図１は、第１実施形態に係る住宅の基礎構造の断面斜視図である。
【図２】図２は、第１実施形態に係る住宅の基礎構造の要部断面斜視図である。
【図３】図３は、穿孔が設けられた第１実施形態に係る住宅の基礎構造の要部断面斜視図である。
【図４】図４は、第２実施形態に係る住宅の基礎構造の要部断面斜視図である。
【図５】図５は、第３実施形態に係る住宅の基礎構造の要部断面斜視図である。
【図６】図６は、従来の住宅の基礎構造の断面斜視図であり、図６（ａ）は薬液が球状に拡がる様子を示す図であり、図６（ｂ）は薬液が偏って流れる様子を示す図である。
【発明を実施するための形態】
【００２２】
以下、本発明の好ましい実施形態が説明される。なお、各実施形態は、本発明の一実施態様にすぎず、本発明の要旨を変更しない範囲で実施態様が変更できることは言うまでもない。
【００２３】
［第１実施形態に係る住宅の基礎構造１００］
図１、図２を参照して、第１実施形態に係る住宅の基礎構造（以下、基礎構造）１００が説明される。基礎構造１００は、住宅の土間においてシロアリ等の蟻の進入を防止する構造である。本実施形態における土間は、玄関土間である。基礎構造１００は、住宅の基礎１０と、地盤層１１と、高硬度層１２と、薬液拡散層１３と、土間コンクリート層１４と、モルタル層１５と、タイル層１６と、を備える。地盤層１１と、高硬度層１２と、薬液拡散層１３と、土間コンクリート層１４と、モルタル層１５と、タイル層１６は、それぞれ、玄関土間の水平方向における全域を覆っている。
【００２４】
基礎１０は、逆Ｔ字型の断面構造を有する布基礎である。基礎１０は、水平方向に延びる水平部２１と、水平部２１から鉛直上方に延びる垂直部２２と、を有する。垂直部２２の上には、住宅の構造部材が配置される。図１において、垂直部２２の上に床の框２０が配置されている。
【００２５】
地盤層１１は、水平部２１に沿って設けられた層である。地盤層１１は、土によって構成されている。
【００２６】
高硬度層１２は、地盤層１１に積層された層である。第１実施形態では、高硬度層１２は、鉄板によって構成されている。高硬度層１２は、玄関土間の全域を覆うように構成される限り、一枚の鉄板によって構成されても、複数枚の連結された鉄板によって構成されてもよい。
【００２７】
薬液拡散層１３は、高硬度層１２に積層され、防蟻用の薬液を水平方向に流して拡散させる層である。第１実施形態では、薬液拡散層１３は、不織布によって構成されている。高硬度層１２の材料である鉄の硬度は、薬液拡散層１３を構成する材料である不織布の硬度よりも高い。
【００２８】
土間コンクリート層１４は、コンクリートによって構成された層である。土間コンクリート層１４は、土間の仕上げ部分の下層を構成する。
【００２９】
モルタル層１５は、モルタルによって構成された層である。モルタル層１５は、土間の仕上げ部分の中間層を構成する。
【００３０】
タイル層１６は、水平方向に沿って配置された複数のタイル１７と、タイル１７間の目地を埋める目地部１８と、によって構成された層である。目地部１８は、モルタル層１５のモルタルと同一のモルタルで構成されている。タイル層１６は、土間の仕上げ部分の上層を構成する。
【００３１】
［防蟻用の再施工工事］
住宅が新築されたときには、防蟻用の施工として、防蟻用の薬液が含浸された薬液拡散層１３が配置される。あるいは、薬液拡散層１３と土間コンクリート層１４の間に、防蟻用の固形の薬剤が、水平方向に沿って並べて配置される。固形の薬剤は、土間内の水分によって液化して拡散する。なお、固形の薬剤に代えて液体の薬剤が使用されてもよい。これらの薬液又は薬剤は、時間経過に伴って消失するので、防蟻用の薬液の再施工工事が実行される。防蟻用の薬液の再施工工事は、薬液拡散層１３に防蟻用の薬液を注入する工事である。
【００３２】
図３に示されるように、防蟻用の再施工工事では、基礎構造１００に、防蟻用の薬液を注入するための穿孔２３が、形成される。穿孔２３は、例えばドリルを用いて、タイル１７間の目地から鉛直下方に向けてタイル層１６などを切削することによって形成される。穿孔２３は、目地部１８から、モルタル層１５、土間コンクリート層１４、及び薬液拡散層１３を経由して、高硬度層１２に至っている。穿孔２３は、薬液拡散層１３まで形成されていればよい。施工者は、ドリルの先端が高硬度層１２に到達することによって、土間コンクリート層１４に穿孔２３を形成するときに生じた抵抗より、大きな抵抗を感じる。これにより、施工者は、穿孔２３が高硬度層１２の上方に到達してことを把握し、高硬度層１２を穿孔２３が貫通する前に、ドリルの使用を停止する。
【００３３】
穿孔２３が形成されると、液状の薬液が穿孔２３を介して薬液拡散層１３に注入される。薬液拡散層１３は不織布によって構成されているので、注入された薬液は薬液拡散層１３に沿って水平方向に流れて拡散する。薬液の注入が終了すると、穿孔２３が目地部によって埋められる。なお、穿孔２３の形成は、例えば玄関土間の四隅のそれぞれに対して実行される。形成された穿孔２３のそれぞれから薬液が注入される。このようにして、防蟻用の再施工工事が完了する。
【００３４】
［第１実施形態の作用効果］
第１実施形態に係る基礎構造１００によれば、薬液拡散層１３の下方に高硬度層１２が配置され、高硬度層１２の材料は、薬液拡散層１３を構成する材料の硬度よりも高い硬度を有する。そのため、作業者は、ドリルを用いて防蟻用の薬液を注入する穿孔２３を形成する際に、ドリルが高硬度層１２に到達したことを把握しやすい。これにより、穿孔２３が高硬度層１２を貫通することが抑制される。したがって、基礎構造１００においては、上記防蟻用の薬液を注入するための穿孔２３が土間に形成されつつ、注入された薬液が土間コンクリート層１４に沿って水平方向に拡がることを可能にする。
【００３５】
また、高硬度層１２は、薬液を鉛直方向に透過させるものである。したがって、穿孔２３に注入されて薬液拡散層１３を水平方向に拡散した薬液を、高硬度層１２を透過させて地盤層１１に含浸させることができる。
【００３６】
［第２実施形態に係る基礎構造２００］
図４を参照して、第２実施形態に係る基礎構造２００が説明される。第２実施形態に係る基礎構造２００は、断熱材層２４が設けられている点で、第１実施形態に係る基礎構造１００とは異なっている。他の点においては、第２実施形態に係る基礎構造２００は、第１実施形態に係る基礎構造１００と同一の構成を有している。同一の構成については、その説明が省略されている。
【００３７】
図４に示されるように、基礎構造２００は、薬液拡散層１３と土間コンクリート層１４に積層された断熱材層２４を備えている。つまり、断熱材層２４は薬液拡散層１３に積層されており、土間コンクリート層１４は断熱材層２４に積層されている。断熱材層２４は、断熱材によって構成された層である。第２実施形態では、断熱材層２４の断熱材は、例えばグラスウールである。
【００３８】
防蟻用の再施工工事において、穿孔２３は、目地部１８から高硬度層１２まで形成される。穿孔２３は、目地部１８から、モルタル層１５、土間コンクリート層１４、断熱材層２４、及び薬液拡散層１３を経由して、高硬度層１２の上方にまで至っている。つまり、断熱材層２４にも穿孔２３が形成されている。穿孔２３は、薬液拡散層１３まで形成されていればよい。
【００３９】
［第２実施形態の作用効果］
第２実施形態に係る基礎構造２００によれば、薬液拡散層１３の上に断熱材層２４が位置する。そのため、薬液拡散層１３内の薬液によって、シロアリ等の蟻による食害から断熱材層２４も保護される。
【００４０】
［第３実施形態に係る基礎構造３００］
図５を参照して、第３実施形態に係る基礎構造３００が説明される。第３実施形態に係る基礎構造３００は、不織布で構成された薬液拡散層１３の代わりに土壌層２５が設けられている点で、第２実施形態に係る基礎構造２００とは異なっている。他の点においては、第３実施形態に係る基礎構造３００は、第２実施形態に係る基礎構造２００と同一の構成を有している。同一の構成については、その説明が省略されている。
【００４１】
図５に示されるように、基礎構造３００は、高硬度層１２と断熱材層２４との間に、土壌層２５を備えている。土壌層２５は、地盤層１１と同様に土によって構成されている。土壌層２５は、防蟻用の薬液を水平方向に流して拡散させる層である。
【００４２】
高硬度層１２は、上述したように鉄板で構成されている。高硬度層１２を構成する鉄板は、穿孔２３の形成範囲を制限するだけでなく、薬液が下方に流れることを防止する板材である。そのため、高硬度層１２が複数の鉄板により構成されている場合、鉄板間のシーリングが確保されるように、例えばシーリング材などによって鉄板間の隙間が塞がれている。高硬度層１２の鉄板により薬液が下方に流れないので、高硬度層１２に積層された土壌層２５内に薬液が滞留できる。そのため、高硬度層１２が存在しない場合と比べて、薬液が土壌層２５を水平方向に拡がりやすい。
【００４３】
また、高硬度層１２の鉄板は、その上面が水平方向に対して傾斜して配置されてもよい。この場合、鉄板の上面は、土間の中央側から基礎１０の垂直部２２に向けて下降するように配置される。この配置により、鉄板と基礎１０の垂直部２２との接続部に向けて薬液が流れ、接続部の周辺の土に拡散する。ここで、シロアリ等の蟻が鉄板自体を食害して進入することはない。シロアリ等の蟻が進入する可能性があるのは、基礎１０の垂直部２２との接続部である。この接続部の土に薬液が拡散されるので、シロアリ等の蟻の進入が防止される。
【００４４】
［第３実施形態に係る作用効果］
第３実施形態に係る基礎構造３００によれば、土壌層２５の下方に鉄板が配置されているので、薬液が下方に流れることなく、土壌層２５を水平方向に流れて拡散される。また、鉄板の材料は、土壌層２５を構成する材料の硬度よりも高い硬度を有する。そのため、作業者は、ドリルを用いて防蟻用の薬液を注入する穿孔２３を形成する際に、ドリルが鉄板に到達したことを把握しやすく、高硬度層１２を穿孔２３が貫通するおそれが少ない。したがって、基礎構造３００は、上記防蟻用の薬液を注入するための穿孔２３が土間に形成されつつ、注入された薬液が土間コンクリート層１４に沿って水平方向に拡がることが可能である。
【００４５】
［変形例］
以上、本発明の実施の形態を詳細に説明してきたが、前述までの説明はあらゆる点において本発明の例示に過ぎない。本発明の範囲を逸脱することなく種々の改良や変形を行うことができることは言うまでもない。本実施形態に係る基礎構造１００、２００、３００の各構成要素に関して、実施の形態に応じて、適宜、構成要素の省略、置換、及び追加が行われてもよい。また、上記基礎構造１００、２００、３００の各構成要素の形状及び大きさも、実施の形態に応じて、適宜、設定されてよい。例えば、以下の変更が可能である。
【００４６】
第１及び第２実施形態に係る基礎構造１００、２００では、薬液拡散層１３を構成する材料は、不織布である。薬液拡散層１３を構成する材料は、防蟻用の薬液が浸透しやすい材料であればよく、例えば、発泡樹脂材であってもよい。特に、発泡樹脂材の発泡倍率が２倍程度の低発泡体が好ましい。
【００４７】
第１から第３実施形態に係る基礎構造１００、２００、３００では、高硬度層１２は鉄板によって構成されているが、この構成に限定されない。
【００４８】
薬液拡散層１３を有する第１及び第２実施形態に係る基礎構造１００、２００では、高硬度層１２は、薬液拡散層１３の材料よりも硬度の高い材料により構成されていればよい。高硬度層１２の材料は鉄に限定されず、例えば、プラスチック又はゴムであってもよい。高硬度層１２の材料がプラスチック又はゴムの場合、高硬度層１２は、プラスチック又はゴム製の板材であることが好ましい。この場合、ドリルが瞬間的に触れても穿孔されない程度の一定の厚みを有することが好ましい。特に、ゴム製の板材は、ドリルによる穿孔が容易ではないので、好ましい。また、高硬度層１２の形態は、板材に限定されない。高硬度層１２は、例えば、ケプラー繊維布で構成されてもよく、多数の孔が形成された板材であるパンチングメタルであってもよい。また、高硬度層１２は、複数の鉄製の球が敷き詰められた層や砂利が敷き詰められた層であってもよい。これにより、高硬度層１２にドリルの先端が当接することによって、施工者に穿孔２３を形成するときの抵抗を感じさせ、且つ穿孔２３に注入されて薬液拡散層１３を水平方向に拡散した薬液を、高硬度層を透過させて地盤層１１に含浸させることができる。
【００４９】
土壌層２５を有する第３実施形態に係る基礎構造３００では、高硬度層１２は、土壌層２５の材料よりも硬度の高い材料により構成され、且つ、薬液が下方に流れることを防止できる板材であれば限定されない。高硬度層１２である板材として、例えば、プラスチック製、ゴム製、又はアルミ製の板材が用いられてもよい。
【００５０】
第１から第３実施形態に係る基礎構造１００、２００、３００は、モルタル層１５を有しているが、モルタル層１５は設けられなくてもよい。また、第３実施形態に係る基礎構造３００は、断熱材層２４を備えているが、断熱材層２４は設けられなくてもよい。
【符号の説明】
【００５１】
１０・・・基礎
１１・・・地盤層
１２・・・高硬度層
１３・・・薬液拡散層
１４・・・土間コンクリート層
２４・・・断熱材層
２５・・・土壌層
１００、２００、３００・・・基礎構造
【図１】
2018084022.tif 000003
【図２】
2018084022.tif 000004
【図３】
2018084022.tif 000005
【図４】
2018084022.tif 000006
【図５】
2018084022.tif 000007
【図６】
2018084022.tif 000008
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
水平部及び垂直部を有する逆Ｔ字型の断面形状の住宅の布基礎と、
上記基礎の水平部に沿って設けられた地盤層と、
上記地盤層に積層された高硬度層と、
上記高硬度層に積層され、防蟻用の薬液を水平方向に流して拡散させる薬液拡散層と、
上記薬液拡散層に積層された土間コンクリート層と、を具備し、
上記高硬度層の材料は、上記薬液拡散層を構成する材料の硬度よりも高い硬度を有する材料である住宅の基礎構造。
【請求項２】
上記土間コンクリート層の上方に位置しており、タイル及び目地を有するタイル層をさらに具備する請求項１に記載の住宅の基礎構造。
【請求項３】
上記薬液拡散層と上記土間コンクリート層との間に断熱材層を備えている請求項１又は２に記載の住宅の基礎構造。
【請求項４】
上記高硬度層は、上記薬液を鉛直方向に透過させるものである請求項１から３のいずれかに記載の住宅の基礎構造。
【請求項５】
上記高硬度層は、プラスチック、ゴム、又は鉄で構成された板材である請求項１から４のいずれかに記載の住宅の基礎構造。
【請求項６】
水平部及び垂直部を有する逆Ｔ字型の断面形状の住宅の布基礎と、
上記基礎の水平部に沿って設けられた地盤層と、
上記地盤層に積層され、防蟻用の薬液が下方に流れることを防ぐ板材と、
上記板材に積層され、防蟻用の薬液を水平方向に流して拡散させる土壌層と、
上記土壌層に積層された土間コンクリート層と、を具備し、
上記板材は、上記土壌層を構成する材料の硬度よりも高い硬度を有する住宅の基礎構造。
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
水平部及び垂直部を有する逆Ｔ字型の断面形状の住宅の布基礎と、
上記基礎の水平部に沿って設けられた地盤層と、
上記地盤層に積層された高硬度層と、
上記高硬度層に積層され、防蟻用の薬液を水平方向に流して拡散させる薬液拡散層と、
上記薬液拡散層に積層された土間コンクリート層と、を具備し、
上記高硬度層の材料は、上記薬液拡散層を構成する材料の硬度よりも高い硬度を有する材料である住宅の基礎構造。
【請求項２】
上記薬液拡散層と上記土間コンクリート層との間に断熱材層を備えている請求項１に記載の住宅の基礎構造。
【請求項３】
上記高硬度層は、上記薬液を鉛直方向に透過させるものである請求項１又は２に記載の住宅の基礎構造。
【請求項４】
上記高硬度層は、プラスチック、ゴム、又は鉄で構成された板材である請求項１から３のいずれかに記載の住宅の基礎構造。
【請求項５】
水平部及び垂直部を有する逆Ｔ字型の断面形状の住宅の布基礎と、
上記基礎の水平部に沿って設けられた地盤層と、
上記地盤層に積層され、防蟻用の薬液が下方に流れることを防ぐ板材と、
上記板材に積層され、防蟻用の薬液を水平方向に流して拡散させる土壌層と、
上記土壌層に積層された土間コンクリート層と、を具備し、
上記板材は、上記土壌層を構成する材料の硬度よりも高い硬度を有する住宅の基礎構造。